(57)【特許請求の範囲】
【請求項１】
デジタル放送受信機で受信した、デジタルＴＶサービス、デジタル音声サービス、データサービス、エンジニアリングダウンサービス及び事前蓄積用データ放送サービスの少なくとも２つのサービス種類が含まれているデジタル放送波の番組表と、該番組表を移動させるためのスクロールキーとを表示画面に表示するデジタル放送受信機の番組表表示方法であって、
前記サービス種類毎に順次番組表を表示するとともに、前記スクロールキーの長押しにより表示されていたサービス種類の番組表の表示から他のサービス種類の番組表の表示にスキップさせることを特徴とする、デジタル放送受信機の番組表表示方法。
【請求項２】
デジタル放送受信機で受信した、デジタルＴＶサービス、デジタル音声サービス、データサービス、エンジニアリングダウンサービス及び事前蓄積用データ放送サービスの少なくとも２つのサービス種類が含まれているデジタル放送波の番組表と、該番組表を移動させるためのスクロールキーとを表示画面に表示するデジタル放送受信機の番組表表示方法であって、
前記サービス種類毎に順次番組表を表示するとともに、前記スクロールキーの二度押しにより表示されていたサービス種類の番組表の表示から他のサービス種類の番組表の表示にスキップさせることを特徴とする、デジタル放送受信機の番組表表示方法。
【発明の詳細な説明】
【０００１】
【発明の属する技術分野】
本発明は、視聴者が希望する番組表の閲覧、操作が簡単に行なえるようにして、視聴者の利便性を高めたデジタル放送受信機の番組表表示方法に関する。
【０００２】
【従来の技術】
最近、衛星放送などの多チャンネルの番組を視聴するデジタル放送受信機が普及してきている。デジタル放送受信機では、テレビジョン（以下、ＴＶと略記する）放送の複数チャンネルのデ−タが多重化されたＴＳ（Ｔｒａｎｓｐｏｒｔ  Ｓｔｒｅａｍ）を選択して再生する。ＴＳには、ＥＰＧ（ＥｌｅｃｔｒｏｎｉｃＰｒｏｇｒａｍ  Ｇｕｉｄｅ、電子番組表）が付加されている。
【０００３】
電子番組表として、チャンネル毎に放送時間に対応させて番組内容を文字情報で表示するものが知られている。視聴者は、ディスプレイにこの番組表を随時表示して、番組内容を閲覧することができる。なお、デジタル放送受信機で受信するメディアは、ＴＶ放送の他にラジオ放送や各種のデ−タサ−ビスなどの複数のサ−ビス種類の放送が含まれる。これらのサ−ビス種類の放送についても、それぞれの番組内容を番組表でディスプレイに表示することができる。このように、デジタル放送を視聴する際に各サ−ビス種類の番組表をディスプレイに表示すると、番組内容を確認できるので視聴者に対するサ−ビスが向上するという利点がある。
【０００４】
【発明が解決しようとする課題】
多チャンネルのデジタル放送波には、前記各サ−ビス種類毎に多数の番組が含まれている。従来の番組表は表示順序が固定されており、例えば最初に通常のＴＶの番組表をチャンネル毎に表示し、次にラジオや臨時ＴＶなどの他のサ−ビス種類の番組表を順次表示している。このため、視聴者にとっては希望する番組を番組表で探す際に画面を何度もスクロ−ルする必要があるため、番組表の閲覧、操作が煩雑であり、時間もかかるという問題があった。
【０００５】
本発明は、かかる現状に鑑みてなされたものであり、視聴者が希望する番組表の閲覧、操作が簡単に行なえるようにして、視聴者の利便性を高めたデジタル放送受信機の番組表表示方法の提供を目的とする。
【０００６】
【課題を解決するための手段】
上記目的は、請求項１に係る発明においてデジタル放送受信機の番組表表示方法を、デジタル放送受信機で受信した、デジタルＴＶサービス、デジタル音声サービス、データサービス、エンジニアリングダウンサービス及び事前蓄積用データ放送サービスの少なくとも２つのサービス種類が含まれているデジタル放送波の番組表と、該番組表を移動させるためのスクロールキーとを表示画面に表示するデジタル放送受信機の番組表表示方法であって、前記サービス種類毎に順次番組表を表示するとともに、前記スクロールキーの長押しにより表示されていたサービス種類の番組表の表示から他のサービス種類の番組表の表示にスキップさせる構成とすることによって達成される。
【０００７】
また、請求項２に係る発明は、デジタル放送受信機で受信した、デジタルＴＶサービス、デジタル音声サービス、データサービス、エンジニアリングダウンサービス及び事前蓄積用データ放送サービスの少なくとも２つのサービス種類が含まれているデジタル放送波の番組表と、該番組表を移動させるためのスクロールキーとを表示画面に表示するデジタル放送受信機の番組表表示方法であって、前記サービス種類毎に順次番組表を表示するとともに、前記スクロールキーの二度押しにより表示されていたサービス種類の番組表の表示から他のサービス種類の番組表の表示にスキップさせることを特徴とする。
【０００８】
請求項１または請求項２に係る発明によれば、番組表表示中にスクロールキーを長押しまたは二度押しすることにより、サービス種類毎に番組表がスキップし、例えば、ＴＶの番組表の表示からラジオの番組表の表示にスキップさせることができるので、複数のサービス種類が存在していても迅速に閲覧、操作を行なうことができる。
【００５２】
【発明の実施の形態】
以下、本発明の実施の形態について図面を参照して説明する。図２０は本発明が適用されるデジタル放送受信機の例を示す概略のブロック図である。図２０において、デジタル放送受信機１はアンテナ２でデジタル放送波を受信する。デジタル放送受信機１には、チュ−ナ１ａが設けられおりチュ−ナ１ａのチュ−ニングにより１つの放送波を選局する。
【００５３】
チュ−ナ１ａで選局された放送波は、復調器１ｂで６４ＱＡＭ（Ｑｕａｄｒａｔｕｒｅ  Ａｍｐｌｉｔｕｄｅ  Ｍｏｄｕｒａｔｉｏｎ）方式などで復調する。復調器１ｂで復調された信号は、次にＴＳデコ−ダ１ｃでＭＰＥＧオ−ディオ信号とＭＰＥＧビデオ信号に分離される。更に、音声デコ−ダ１ｄと映像デコ−ダ１ｅでＭＰＥＧオ−ディオ信号とＭＰＥＧビデオ信号がデコ−ドされる。ＭＰＥＧオ−ディオ信号は、出力端子からスピ−カ４に出力される。また、ＭＰＥＧビデオ信号は、表示処理部１ｆで表示処理されて、出力端子からメインディスプレイ５に出力される。
【００５４】
また、デジタル放送受信機１には、インタップＩ／Ｏ１ｇ、ＲＡＭ１ｈ、ＲＯＭ１ｉ、ＣＰＵ（Ｃｅｎｔｒａｌ  Ｐｒｏｃｅｓｓｉｎｇ  Ｕｎｉｔ  中央演算処理装置）１ｊ、モデム１ｋが設けられている。リモコンキ−などの操作部３からの信号をＩ／Ｏ１ｇで検出して、デジタル放送受信機１のオン、オフ制御やチャンネル選局を行なう。
【００５５】
ＲＡＭ１ｈには、後述するように視聴者が適宜作成する種々の形態の番組表を登録する。ＲＯＭ１ｉには、デジタル放送受信機１を動作させるための管理プログラムなどが格納されている。ＣＰＵ１ｊは、デジタル放送受信機１の動作を所定のプログラムにより制御する。モデム１ｋは、外部信号を符号化し、また復号する。サブディスプレイ６には、各種メッセ−ジなどが表示される。
【００５６】
図２は、ＢＳデジタル放送におけるサ−ビスの種類の定義をテ−ブルＴａで示す説明図である。図２に示されているように、ＢＳデジタル放送のサ−ビスの種類として、ａ「デジタルＴＶサ−ビス」、ｂ「デジタル音声サ−ビス」、ｃ「デ−タサ−ビス」、ｄ「臨時ＴＶサ−ビス」、ｅ「臨時音声サ−ビス」、ｆ「臨時デ−タサ−ビス」、ｇ「エンジニアリングダウンサ−ビス」、ｈ「事前蓄積用デ−タ放送サ−ビス」が定義されている。なお、符号ａ〜ｈは説明の便宜上付したものである。
【００５７】
このように、ＴＶ、音声（ラジオ）、デ−タなど異なるメディア毎の複数のサ−ビスの種類が定義されている。そして、ａ〜ｈの各サ−ビスの種類毎に番組表が作成されていて、順次ディスプレイに表示されるので、視聴者は自分が希望するサ−ビス種類の番組を見い出すまでには何度も画面をスクロ−ル操作する必要がある。このため操作が煩雑で番組表の閲覧に時間もかかっていた。本発明においては、前記のように種々のサ−ビス種類が含まれている番組表を、視聴者が操作しやすく、また閲覧が簡単に行なえるように編集するものである。
【００５８】
図３は、デジタル放送受信機１が受信するデジタル放送の前記サ−ビスの種類について、同じ内容のメディア毎に並び変えて編集したテ−ブルＴｂの例を示す説明図である。図３に示すように、サ−ビス１〜サ−ビス３のサ−ビスの区分には、サ−ビスの種類としてＴＶを当て嵌めている。また、サ−ビスの区分がサ−ビス１０、１１についてはラジオを、サ−ビス２０、２１にはデ−タを、サ−ビス３０にはダウンロ−ドを当て嵌めている。
【００５９】
図１は、図３のテ−ブルに基づいて編集した番組表を表示し、更に視聴者が希望するサ−ビス種類を指示してその番組表を表示する例を示す説明図である。図１において、画面には番組表Ｐａが表示されている。画面のＧａエリアには、チャンネル番号ｘｘ、放送局名ＡＡＡが表示される。Ｇｂのエリアには、サ−ビスの区分がサ−ビス１から順次サ−ビス３０まで、ＴＶ、ラジオなどのように、サ−ビスの種類毎にまとめて配列されている。左右の水平スクロ−ルキ−Ｋａａ、Ｋａｂを操作することにより、希望するサ−ビス種類にアクセスすることができる。
【００６０】
Ｇｃのエリアは放送時間となっており、上下の垂直スクロ−ルキ−Ｋｂａ、Ｋｂｂを操作することにより、希望する時間にアクセスすることができる。Ｇｄは、放送時間とサ−ビスの区分との交点で、このエリアには放送される番組内容が文字で表示される。図１の例では、１９：００から、サ−ビス３のＴＶでは番組０３１が放送されることを示している。
【００６１】
図３のように、ＴＶやラジオなど同じ内容のメディア毎に順次サ−ビスの種類を設定しておくことにより、図１では左右の水平スクロ−ルキ−Ｋａａ、Ｋａｂを操作すると、先にサ−ビス種類がＴＶの番組表が、次にサ−ビス種類がラジオの番組表、というように同じ内容のサ−ビス種類の番組表が順次まとめて表示される。このため、サ−ビス種類がＴＶの次にラジオ、その次に臨時ＴＶというように、異なるメディアの番組表がランダムに表示されることがなくなり、視聴者が見やすい番組表を表示することができる。
【００６２】
図１の操作画面Ｓａには、視聴者が希望するサ−ビスの種類を選択して当該サ−ビスの番組表を表示するための選択項目Ｅａが表示される。この選択項目Ｅａは、タッチスイッチで構成することができる。選択項目Ｅａで「全て」を指示すると、放送される全てのサ−ビスについて番組表が表示される。また、各項目を指示すると、指示されたサ−ビスのみの番組表が表示される。図１において、番組表Ｐａが表示されている状態で、視聴者が操作画面Ｓａの選択項目「ラジオ」を指示したものとする。
【００６３】
この場合には、番組表Ｐａから番組表Ｐｂに切り替わり、番組表Ｐｂにはラジオを放送するサ−ビス１０、サ−ビス１１の番組のみを表示する。このように、視聴者が指示した目的のサ−ビス種類に係るサ−ビスのみの番組表が表示されるので、番組表の閲覧が容易であり希望する番組表へアクセスするための操作も簡単に行なえる。
【００６４】
図５は、本発明の他の実施形態を示す説明図である。番組表Ｐａは図１と同じである。操作画面Ｓｂには、表示しないサ−ビスを選択する選択項目Ｅｂが表示される。選択項目Ｅｂで「ＴＶ」を選択すると、番組表Ｐａから番組表Ｐｃに切り替わり番組表Ｐｃが表示される。番組表Ｐｃはサ−ビス種類のＴＶを除外しており、左右のスクロ−ルキ−を操作することによりＴＶを除いたサ−ビス種類の番組表が閲覧できる。このように、図５の例では視聴者が希望しないサ−ビスの番組は除外しているので、番組表の閲覧、操作が簡単になる。また、除外できるサ−ビスは複数種類設定できる。
【００６５】
図６は、本発明の他の実施形態を示す説明図である。図６の例では、受信チャンネルでデフォルトサ−ビスの番組表Ｐｄを表示している。ここで、デフォルトサ−ビスとは、受信チャンネルを選択した時に最初に自動的に選択されるサ−ビスのことをいう。デフォルトサ−ビスは任意に設定でき、例えばサ−ビス区分の番号が一番小さいサ−ビスなどとすることができる。図６の例では、デフォルトサ−ビスとしてサ−ビス区分１０の「ラジオ」を設定している。この際に、デフォルトサ−ビスと同じサ−ビス種類のサ−ビス１１の番組を表示する。
【００６６】
また、操作画面には選択項目Ｅｃとして「選局中」を表示する。「選局中」をタッチし、サ−ビス１１を指定すると、サ−ビス１１の前景色や背景色を反転表示するなどにより、他のサ−ビスとは異なる表示として選局中のサ−ビス１１を強調する。このように、図６の例ではデフォルトサ−ビスと同じサ−ビス種類の番組を表示するので、デフォルトサ−ビスと同じサ−ビス種類の番組の閲覧、操作が簡単に行なえる。
【００６７】
図７は、本発明の他の実施形態を示す説明図である。図７の例では、図１で説明した番組表Ｐａを表示している際に、操作画面で選択項目Ｅｄの選局中をタッチする。ここで、サ−ビス２１を選局中のサ−ビスとすると、サ−ビス２１はデ−タサ−ビスであるので、番組表Ｐｅとして同じサ−ビス種類に属するサ−ビス２０とサ−ビス２１のデ−タサ−ビスを表示する。
【００６８】
この際に、図６と同様に選局中のサ−ビス２１を他のサ−ビスとは異なる表示として、強調してもよい。図７の例では、選局中のサ−ビスと同一種類のサ−ビスを表示するので、選局中のサ−ビスと同一種類のサ−ビスの閲覧、操作を簡単に行なうことができる。前記図６、図７の処理において、操作画面に図７に示すような「表示切替」の選択項目を設定し、図１の番組表Ｐａから番組表Ｐｄ、Ｐｅへの表示を切り替える構成としても良い。
【００６９】
図８は、本発明の他の実施形態を示す説明図である。図８の例では、ラジオサ−ビスを選択して番組表Ｐｆを表示している。ここで、操作画面から選択項目Ｅｅの「その他」を選択すると、ラジオサ−ビス以外のサ−ビスの番組表Ｐｇを表示する。番組表Ｐｇでは、ＴＶサ−ビスのサ−ビス種類に属するサ−ビス１〜サ−ビス３が表示されている。この状態で右スクロ−ルキ−Ｋａｂを操作すると、図３で示したラジオサ−ビス以外のサ−ビスであるＴＶサ−ビスの次のデ−タサ−ビスのサ−ビス２０、サ−ビス２１の番組表が表示される。図８の例では、表示中のサ−ビスグル−プとは異なる残りのサ−ビスグル−プに対して、番組表の閲覧、操作が簡単に行なえる。
【００７０】
図４は、サ−ビスの区分のサ−ビス１〜サ−ビス３１に対応するサ−ビス種類が、ＴＶ、ラジオ、デ−タのように異なるメディアがランダムに設定されて、サ−ビス区分の番号とサ−ビス種類とが混在して構成されている番組表のテ−ブルＴｃの例を示す説明図である。
【００７１】
本発明においては、図４のような各メディアがランダムに設定されている番組表に対して、視聴者が閲覧、操作しゃすい形態の番組表に変更して表示することができる。図９は、図４のサ−ビス構成に対して順番を入れ替えて表示する例を示す説明図である。
【００７２】
図９において、番組表Ｐａ’は、選択項目Ｅｇのサ−ビス番号順を選択したときに、図４のサ−ビス区分の番号順にサ−ビス１〜サ−ビス３１を表示している。ここで、選択項目Ｅｆのサ−ビス種類順を選択すると、サ−ビス種類毎の番組表Ｐｈが表示される。
【００７３】
図９の例で番組表Ｐｈには、サ−ビス種類ＴＶから順番に、ラジオ、デ−タのように各サ−ビス種類の番組が括られてサ−ビス区分の番号順に表示される。このように、図９の例では、サ−ビス種類毎に整理された番組表が表示される。このため、視聴者がサ−ビス種類を意識して番組表を閲覧、操作する際に利便性が高められる。
【００７４】
図１０は、図４のサ−ビス構成に対して順番を入れ替えて表示する他の例を示す説明図である。図１０において、デフォルトサ−ビスをサ−ビス２と設定した場合に、選択項目Ｅｆのサ−ビス種類順を選択すると、番組表Ｐａ’から番組表Ｐｉに切り替わり、番組表Ｐｉが表示される。
【００７５】
ここで、図４に示されているように、サ−ビスの区分がサ−ビス２はラジオサ−ビスであるので、番組表Ｐｉではデフォルトサ−ビスと同じサ−ビス種類に属するサ−ビス１１、サ−ビス３１の番組を表示する。このように、図１０の例ではデフォルトサ−ビスと同じサ−ビス種類の番組表を表示するので、デフォルトサ−ビスと同じサ−ビス種類のサ−ビスを迅速に閲覧、操作することができる。
【００７６】
図１１は、図４のサ−ビス構成に対して順番を入れ替えて表示する他の例を示す説明図である。図１１において、選択項目Ｅｈの選局サ−ビスを選択し、選局中のサ−ビスをサ−ビス１２とする。また、選択項目Ｅｉでサ−ビス種類を選択すると、番組表Ｐａ’から番組表Ｐｊに切り替わり番組表Ｐｊが画面に表示される。
【００７７】
ここで、サ−ビス１３はサ−ビスの種類が事前蓄積で、選局中のサ−ビス１２と同じデ−タサ−ビスの種類に属する。このように、図１１の例では選局中のサ−ビスと同一のサ−ビス種類の番組表を表示している。このため、選局中のサ−ビスと同一のサ−ビス種類のサ−ビスを迅速に閲覧、操作することができる。
【００７８】
図１２は、本発明の他の実施形態の説明図である。図１２において、選択項目Ｅｉで「サ−ビス表示順設定」を選択する。操作画面Ｓの（Ｘ）現在の順番欄には、番組表に表示されるサ−ビス種類の現在の順番が表示されている。次に、（Ｙ）欄で変更を選択し所定の処理を施すと、（Ｚ）の欄に新しい順番が表示される。新しい順番の設定は、例えば、現在の順番に表示されているサ−ビス種類を順次選択することで（Ｚ）の欄に表示させることができる。
【００７９】
図１２の新しい順番の設定は、現在の順番（Ｘ）のすべてのサ−ビス種類を含む必要はなく、一部の順番のみを選択しても良い。例えば、最初に表示するサ−ビス種類を指定して順番設定を終了しても良い。図１２の例では、サ−ビス表示順を任意に設定できるので、視聴者の好みに応じて番組表を作成して表示することができる。
【００８０】
図１３は、本発明の他の実施形態の説明図である。図１３において、番組表Ｐａ”は、図４に示したサ−ビスの区分の番号をサ−ビス１から昇順に、すなわちサ−ビス種類ＴＶに属するサ−ビス１、サ−ビス１０、サ−ビス３０の番組を表示している。ここで、選択項目Ｅｊの「サ−ビス順反転」を選択すると、図４のサ−ビス構成において、サ−ビスの区分の番号がサ−ビス１とは反対のサ−ビス３１から表示する。
【００８１】
この例ではサ−ビス３１のラジオサ−ビスの種類に属するサ−ビス１１、サ−ビス２が選定されて、降順で各サ−ビスの番組を表示する。このように図１３では、表示するサ−ビス種類の順番を反対にして表示している。このため、表示中のサ−ビス種類とは異なるサ−ビスの番組表の閲覧、操作を簡単に行なうことができる。
【００８２】
図１４は、本発明の他の実施形態の説明図である。図１４において、番組表Ｐａ”は図１３と同様にサ−ビス種類がＴＶに属するサ−ビス１、サ−ビス１０、サ−ビス３０の番組を表示している。ここで左右の水平スクロ−ルキ−で右方向のスクロ−ルキ−Ｋａｂを一定時間、例えば数秒間押し続ける。または、スクロ−ルキ−Ｋａｂを二度押しする。
【００８３】
この際には、番組表Ｐｌが表示される。番組表Ｐｌは、番組表Ｐａ”がサ−ビス種類がＴＶのサ−ビスから表示していたところから、サ−ビス種類がラジオのサ−ビスにスキップさせている。この番組表Ｐｌは、サ−ビスの区分の番号がサ−ビス２からサ−ビス３１までのラジオサ−ビスを表示する。図１４の例では、サ−ビス種類毎に番組表がスキップするので、複数のサ−ビス種類が存在しても迅速に閲覧、操作を行なうことができる。
【００８４】
図１５は、本発明に係る他の実施形態のテ−ブルＴｄを示す説明図である。図１５においては、サ−ビスの種類をグル−プ化するものである。図１５のＡ〜Ｅはグル−プの種別を示している。例えば、グル−プＡはＴＶサ−ビスであり、図２のテ−ブルではａ、ｄを対象としている。以下、グル−プＢは音声サ−ビス、グル−プＣはデ−タサ−ビス、グル−プＤは臨時サ−ビス、グル−プＥはダウンロ−ドを対象としている。
【００８５】
図１６は、図１５に示したようなサ−ビスグル−プを形成する際に、各サ−ビスに対してサ−ビスの区分の番号を割り当てたサ−ビス構成例をテ−ブルＴｅで示す説明図である。図１６において、サ−ビスの区分の番号がサ−ビス１〜サ−ビス４ではサ−ビス種類がＴＶである。また、サ−ビス１０〜サ−ビス１２ではサ−ビス種類がラジオであり、サ−ビス２０、２１はサ−ビス種類がデ−タである。更に、サ−ビス３０はサ−ビス種類がダウンロ−ドであり、サ−ビス４０はサ−ビス種類が事前蓄積である。
【００８６】
図１７は、図１６のサ−ビス構成例に基づいてサ−ビスのグル−プを形成したテ−ブルＴｆの例を示す説明図である。図１７において、サ−ビスがＴＶのサ−ビスグル−プには、図１６のテ−ブルよりサ−ビス１〜サ−ビス４が該当している。同様に、サ−ビスがラジオのサ−ビスグル−プには、サ−ビス１０〜サ−ビス１２が該当し、サ−ビスがデ−タのサ−ビスグル−プには、サ−ビス２０、２１４０が該当している。また、サ−ビスが臨時のサ−ビスグル−プに属するのはサ−ビス４、１２であり、サ−ビスがダウンロ−ドのサ−ビスグル−プにはサ−ビス３０が該当している。
【００８７】
図１８は、図１７のようにサ−ビスの種類毎にグル−プ化されたテ−ブルを用いて番組表を編集する例を示す説明図である。図１８において、番組表Ｐａ’は図１６のサ−ビス構成に基づき編集されるものとする。この例では、サ−ビス１〜サ−ビス３でＴＶ番組が表示されている。
【００８８】
視聴者が操作画面の選択項目Ｅｋで「臨時」を選択すると、図１７のテ−ブルからサ−ビスグル−プが「臨時」のサ−ビス４、１２からなる番組表Ｐｍを表示する。このように、サ−ビスの種類をグル−プ化することにより、指定可能な選択項目を減少させることができ、サ−ビスの指定を簡単に行なえる。
【００８９】
本発明においては、前記図１７のようにしてサ−ビスの種類毎にグル−プ化されたテ−ブルを用いて視聴者が使いやすい番組表を編集することができる。例えば、図５で説明したような表示しないサ−ビスを指定して番組表を表示することに代えて、指定サ−ビスグル−プ以外のサ−ビスグル−プの番組表を表示することができる。
【００９０】
この場合には、図１８の選択項目Ｅｋで「ラジオ」を指定したとすると、ラジオを除外したサ−ビスグル−プの番組表を表示する。このように、閲覧しないサ−ビスグル−プのサ−ビスを省いた番組表が表示されるので、番組表の閲覧、操作を簡単に行なうことができる。
【００９１】
また、図６で説明したような受信チャンネルのデフォルトサ−ビスの番組表を表示することに代えて、受信チャンネルのデフォルトサ−ビスのサ−ビスグル−プに属するサ−ビスの番組表を表示することもできる。
【００９２】
例えば、図１７でサ−ビス１０をデフォルトサ−ビスとすると、サ−ビス１０のサ−ビス種類はラジオであり、ラジオのサ−ビスグル−プに属するサ−ビス１０〜１２の番組表を表示する。このように、受信チャンネルのデフォルトサ−ビスと同一のサ−ビスグル−プの番組表を表示するので、デフォルトサ−ビスと同一のサ−ビスグル−プの番組表を迅速に閲覧、操作することができる。
【００９３】
また、図７で説明したような「選局中」サ−ビスの番組表を表示することに代えて、選局中のサ−ビスのサ−ビスグル−プに属するサ−ビスの番組表を表示することもできる。例えば、図１７のテ−ブルでサ−ビス２０の「デ−タ」を選局中のサ−ビスとすると、デ−タのサ−ビスグル−プに属するサ−ビス２０、２１、４０の番組表を表示する。このように、選局中のサ−ビスと同一のサ−ビスグル−プの番組表を表示するため、選局中のサ−ビスと同一のサ−ビスグル−プの番組表を迅速に閲覧、操作することができる。
【００９４】
更に、図８で説明したように、表示中のサ−ビスから表示中のサ−ビス以外のサ−ビスに切替て番組表を表示することに代えて、表示中のサ−ビスグル−プのサ−ビスとそれ以外のサ−ビスグル−プのサ−ビスとを表示の切替が行なえる構成とすることができる。
【００９５】
図１７のテ−ブルの例では、例えばラジオのサ−ビスグル−プの番組表表示から、それ以外のサ−ビスグル−プのサ−ビスについての番組表に切り替て表示することができる。このように、サ−ビスグル−プに対応して番組表の切り替えを行なうので、表示中のサ−ビスグル−プとは異なる残りのサ−ビスグル−プに対して、番組表の閲覧、操作が簡単に行なえる。
【００９６】
更に、図１７のようにサ−ビスグル−プを構成したテ−ブルを用いて、種々のバリエ−ションで番組表を表示することができる。一例として、図９で説明したように、操作画面の選択項目で「サ−ビス番号順」を選択し、番組表表示時にサ−ビスグル−プ毎に順番に番組表を表示させることができる。
【００９７】
図１７の例では、サ−ビスグル−プが「ＴＶ」、「ラジオ」、「デ−タ」、「臨時」、「ダウンロ−ド」に構成されているが、これらのサ−ビスグル−プの表示順序は任意に設定することができる。このように、サ−ビスグル−プ毎に整理された番組表が表示されるので、視聴者がサ−ビスグル−プを意識して番組表を閲覧、操作する際に利便性が高められる。
【００９８】
また、図１０で説明したように、サ−ビス種類順に表示する際に、受信チャンネルでデフォルトサ−ビスと同じサ−ビス種類に属するサ−ビスの番組表を表示する技術を適用することができる。この場合には、受信チャンネルでデフォルトサ−ビスのサ−ビスグル−プに属するサ−ビスから順番に番組表を表示する。例えば、図１７のテ−ブルでサ−ビス区分の番号が最小のサ−ビス１を受信チャンネルでデフォルトサ−ビスと設定したものとする。
【００９９】
この場合には、サ−ビス１のサ−ビス種類は「ＴＶ」であるから、ＴＶのサ−ビスグル−プに属するサ−ビス１〜サ−ビス４の番組表から表示する。このように、受信チャンネルでデフォルトサ−ビスと同じサ−ビスグル−プに属するサ−ビスの番組表から順番に表示しているので、デフォルトサ−ビスと同一のサ−ビスグル−プの番組表を迅速に閲覧、操作することができる。
【０１００】
また、サ−ビスをグル−プ化した際に、デフォルトサ−ビスのサ−ビスグル−プに属するサ−ビスの番組表が最初に表示され、以下順次サ−ビスグル−プ毎に番組表が表示される。このため、デフォルトサ−ビスのサ−ビスグル−プに属するサ−ビスの番組表を見落とすことがなくなる。
【０１０１】
また、図１１で説明したように操作画面の選択項目で「選局中」を選択して、選局中のサ−ビスのサ−ビスグル−プに属するサ−ビスから順番に番組表を表示していく構成とすることもできる。例えば図１７のテ−ブルにおいて、サ−ビス４を選局中のサ−ビスとするときに、サ−ビス４と同じサ−ビスグル−プの「臨時」に属するサ−ビス４、１２の番組表から表示する。
【０１０２】
このように、選局中のサ−ビスのサ−ビスグル−プに属するサ−ビスから順番に番組表を表示するので、選局中のサ−ビスと同一のサ−ビスグル−プのサ−ビスを迅速に閲覧、操作することができる。また、サ−ビスをグル−プ化した際に、選局中のサ−ビスグル−プに属するサ−ビスの番組表が最初に表示され、以下順次サ−ビスグル−プ毎に番組表が表示される。このため、視聴者の番組表操作の実態に適合した番組表の表示を行なうことができる。
【０１０３】
また、図１１で説明したように、操作画面の選択項目で「サ−ビス番号順」を選択して、表示する番組表のサ−ビスグル−プの順番を設定可能とすることができる。このように、表示する番組表のサ−ビスグル−プの順番を設定可能とすることにより、視聴者の要求に沿ったサ−ビスグル−プの順番で番組表を作成し、表示することができる。
【０１０４】
また、図１３で説明したような操作画面の選択項目で「サ−ビス順反転」を選択し、表示する番組表のサ−ビスグル−プの順番を反対にして表示する構成とすることも可能である。例えば、図１７のテ−ブルの例で、サ−ビスグル−プの「ＴＶ」、「ラジオ」、「デ−タ」、「臨時」、「ダウンロ−ド」の順序で表示されているものとすると、表示順序を「ダウンロ−ド」、「臨時」、「デ−タ」、「ラジオ」、「ＴＶ」と反対にするものである。
【０１０５】
このように、サ−ビスをグル−プ化した場合においても、番組表のサ−ビスグル−プの順番を反対にして表示することができる。このため、表示中のサ−ビスグル−プとは異なるサ−ビスグル−プの番組表の閲覧、操作を簡単に行なうことができる。
【０１０６】
また、図１４で説明したように左右の水平スクロ−ルキ−を用いて、表示中のサ−ビスグル−プの番組表から切り替て、次のサ−ビスグル−プに属するサ−ビスから番組表を表示する構成とすことができる。このような構成とすることにより、サ−ビスグル−プ毎に番組表がスキップするので、複数のサ−ビスグル−プが存在する場合でも迅速に閲覧、操作をすることができる。
【０１０７】
図１９は、本発明に係る他の実施形態を示す説明図である。図１９において、操作画面の選択項目Ｅｍの「サ−ビスグル−プ」設定を選択する。この際に、操作画面には選択項目Ｅｎが表示される。ここで選択項目「オリジナル１」を選択すると、操作画面Ｓｄには（Ｘ）、（Ｙ）の欄が表示される。視聴者が（Ｘ）の欄で「デ−タ」を選択し、（Ｙ）欄で「追加」を選択する。このような操作により、（Ｚ）欄には（Ｘ）の欄から「デ−タ」に関連したサ−ビスが選択されて表示される。
【０１０８】
このように、図１９では視聴者の判断によってサ−ビスのサ−ビスグル−プを設定しているので、視聴者が必要とする形態や使い勝手などを考慮して自由に番組表を作成することができる。
【０１０９】
【発明の効果】
以上説明したように、本発明によれば、視聴者が希望する番組表の閲覧、操作が簡単に行なえるようにして、視聴者の利便性を高めたデジタル放送受信機の番組表表示方法が得られる。
【図面の簡単な説明】
【図１】本発明の実施の形態に係るデジタル放送受信機で放送される番組表を示す説明図である。
【図２】番組サ−ビスの種類を示す説明図である。
【図３】番組サ−ビスの構成例を示す説明図である。
【図４】番組サ−ビスの構成例を示す説明図である。
【図５】本発明の番組表の例を示す説明図である。
【図６】本発明の番組表の例を示す説明図である。
【図７】本発明の番組表の例を示す説明図である。
【図８】本発明の番組表の例を示す説明図である。
【図９】本発明の番組表の例を示す説明図である。
【図１０】本発明の番組表の例を示す説明図である。
【図１１】本発明の番組表の例を示す説明図である。
【図１２】本発明の処理例を示す説明図である。
【図１３】本発明の番組表の例を示す説明図である。
【図１４】本発明の番組表の例を示す説明図である。
【図１５】サ−ビスのグル−プ化の例を示す説明図である。
【図１６】サ−ビス構成例を示す説明図である。
【図１７】サ−ビス構成例を示す説明図である。
【図１８】本発明の番組表の例を示す説明図である。
【図１９】本発明の処理例を示す説明図である。
【図２０】本発明の実施の形態に係るデジタル放送受信機を示すブロック図である。
【符号の説明】
１    デジタル放送受信機
２    アンテナ
３    操作部
４    スピ−カ
５    メインディスプレイ
６    サブディスプレイ
【図１】
0004028733.tif 000002
【図２】
0004028733.tif 000003
【図３】
0004028733.tif 000004
【図４】
0004028733.tif 000005
【図５】
0004028733.tif 000006
【図６】
0004028733.tif 000007
【図７】
0004028733.tif 000008
【図８】
0004028733.tif 000009
【図９】
0004028733.tif 000010
【図１０】
0004028733.tif 000011
【図１１】
0004028733.tif 000012
【図１２】
0004028733.tif 000013
【図１３】
0004028733.tif 000014
【図１４】
0004028733.tif 000015
【図１５】
0004028733.tif 000016
【図１６】
0004028733.tif 000017
【図１７】
0004028733.tif 000018
【図１８】
0004028733.tif 000019
【図１９】
0004028733.tif 000020
【図２０】
0004028733.tif 000021